(57)【特許請求の範囲】
【請求項１】
楽器の演奏者の体に掛けられる帯体と、
上記楽器を連結可能な連結部と、
入力された音の基本周期に関する情報である基本周期情報を生成して、その基本周期情報に基づいて上記音の基本周波数を表示する受信機にその基本周期情報を無線送信する送信機を取付可能な取付部と、
を含み、
上記取付部は、上記帯体の長さを調整する留具に設けられている、
ことを特徴とする楽器用ストラップ。
【発明の詳細な説明】
【技術分野】
【０００１】
この発明は、楽器の落下を防止すると共に、演奏者が安定して演奏をすることができるように楽器の保持を容易にする楽器用ストラップに関する。
【背景技術】
【０００２】
入力された音信号を無線送信する送信機と、無線送信された音信号から基本周期を抽出及び表示する受信機とから成るワイヤレスタイプの調律器が知られている（例えば、特許文献１参照。）。
【０００３】
調律しようとする者は、このようなワイヤレスタイプの調律器を使用する際には、送信機を楽器に取り付けていた。
【先行技術文献】
【特許文献】
【０００４】
【特許文献１】再公表特許ＷＯ２００６／０４３４６９号公報
【発明の概要】
【発明が解決しようとする課題】
【０００５】
しかしながら、複雑な形状をした楽器に送信機を取り付けることは必ずしも容易ではなく、また、高価な楽器に調律器を取り付けることに抵抗がある者はこのようなワイヤレスタイプの調律器を使用しづらいという課題があった。
【課題を解決するための手段】
【０００６】
上記の課題を解決するために、この発明の楽器用ストラップは、楽器の演奏者の体に掛けられる帯体と、楽器を連結可能な連結部と、入力された音の基本周期に関する情報である基本周期情報を生成して、その基本周期情報に基づいて音の基本周波数を表示する受信機にその基本周期情報を無線送信する送信機を取付可能な取付部と、を含む。取付部は、帯体の長さを調整する留具に設けられている。
【発明の効果】
【０００７】
楽器用ストラップの取付部に送信機を取り付けることができるようになり、楽器に送信機を取り付ける必要がなくなる。よって、ワイヤレスタイプの調律器の使い易さが増す。
【図面の簡単な説明】
【０００８】
【図１】楽器用ストラップの例の正面図。
【図２】楽器用ストラップの例の側面図。
【図３】楽器用ストラップの使用状態の例を示す図。
【図４】留具の例を示す図。（Ａ）は正面図。（Ｂ）は左側面図。（Ｃ）は右側面図。（Ｄ）は平面図。（Ｅ）は底面図。（Ｆ）は背面図。
【図５】取付部の例を示す図。留具の例を示す図。（Ａ）は正面図。（Ｂ）は左側面図。（Ｃ）は右側面図。（Ｄ）は平面図。（Ｅ）は底面図。（Ｆ）は背面図。（Ｇ）はＡ−Ａ断面図。
【図６】取付部の例の斜視図。（Ａ）は表から見た斜視図。（Ｂ）は裏から見た斜視図。
【図７】送信機の例を示す図。（Ａ）は正面図。（Ｂ）は左側面図。（Ｃ）は右側面図。（Ｄ）は平面図。（Ｅ）は底面図。（Ｆ）は背面図。
【図８】送信機の例の斜視図。（Ａ）は表から見た斜視図。（Ｂ）は裏から見た斜視図。
【図９】調律器の例の機能ブロック図。
【図１０】送信機の例の機能ブロック図。
【発明を実施するための形態】
【０００９】
以下、この発明の実施の形態について詳細に説明する。
【００１０】
図１から図３に例示するように、楽器用ストラップは、楽器の演奏者の体に掛けられる帯体３と、帯体３の長さを調整する留具４と、楽器を連結可能な連結部５とを含む。
【００１１】
帯体３は、例えばポリエステル等の合成繊維により織り込まれた一本の帯である。帯体３が楽器の演奏者の体に掛けられたときに演奏者の体と接触する部分には、帯体３の幅よりも広い幅を持つクッション部３ａが設けられている。クッション部３ａにより、帯体３が演奏者の体に与える刺激、衝撃を抑えることができる。また、クッション部３にａより、帯体３が演奏者の体に対して滑りづらくなり、演奏者は安定して楽器用ストラップを保持することができる。帯体３は、図３に例示するように、演奏者の頸部に掛けられる。帯体３は、肩、腰等の頸部以外の演奏者の体に掛けられてもよい。
【００１２】
留具４は、例えば合成樹脂からなる。留具４は、図４に例示するように、２個の開口４ｃ，４ｄを有する略方形の枠体４ａである。枠体４ａの一方の長辺部の中央から他方の長辺部の中央に、ブリッジ４ｅが架けられている。ブリッジ４ｅは枠体４ａの内側を仕切り、これにより留具４に２個の開口４ｃ，４ｄが形成される。ブリッジ４ｅには溝４ｆが設けられている。この溝４ｆは、留具４が帯体３に対して滑らないようにすることにより、帯体３の長さを固定するのに役立つ。
【００１３】
帯体３の両端は重ねられて、留具４の下側（図４Ａの紙面に対して下側）から一方の開口４ｃに挿入されて、ブリッジ４ｅで折り返されて、他方の開口４ｄに挿入されて、留具４の下側に引き出される。引き出された帯体３の両端は、図２に例示するように、連結部５の開口５ａ（図１）に挿入され、留具４の短辺部４ｇに巻かれる。その後、帯体３の両端は、例えば溶着により互いに固定される。
【００１４】
枠体４ａの長手方向の端部の一方には平板部４ｂが設けられている。この平板部４ｂに、図５及び図６に例示する取付部７が例えば接着固定により設けられる。この例では、留具４及び取付部７をそれぞれ別部品としているが、留具４及び取付部７を一体成形により生成してもよい。
【００１５】
取付部７は、図５及び図６の例では円板状であり、中央に係合部７ａが設けられている。係合部７ａの一端は取付部７の周縁に接続され、そこから取付部７の中央に延伸している。係合部７ａは、取付部７に対して肉薄となっており、取付部７の周縁に対して揺動可能である。例えば、取付部７の中央にコの字形状の切り欠きを設けることにより、係合部７ａが形成される。係合部７ａの先端には、抜け止め用の突起７ｃが形成されている。係合部７ａを挟むように、２個の折曲部７ｂが、係合部７ａの延伸方向に沿って設けられる。各折曲部７ｂは取付部７の板面から垂直方向に延伸され、その先端は互いに離れる方向に折り曲げられており、その断面はＬ字状となっている。
【００１６】
調律用ストラップに取り付けられる調律器は、図９に例示するように、送信機１及び受信機２で構成されるいわゆるワイヤレス型の調律器である。図７及び図８に例示する調律器の送信機１が、取付部７に取り付けられる。
【００１７】
図７及び図８に例示するように、送信機１は長円柱形状であり、その長手方向の端部に、取付部７に対応する受部１ａが設けられている。受部１ａは、取付部７の折曲部７ｂの形状に対応するＬ字形状の溝であるガイド部１ｂ、及び、取付部７の係合部７ａの突起７ｃが落ちる凹部１ｃを含む。送信機１の正面には、電源スイッチ１ｄが設けられている。送信機１の長手方向に対する垂直方向の端部には、凹凸部１ｅが設けられている。凹凸部１ｅは滑り止めの効果を有し、送信機１の取付部７に対する取り付け、取り外しのためのスライドを容易にする。
【００１８】
送信機１の取付部７への取り付けは、取付部７の折曲部７ｂを送信機１ｂのガイド部１ｂに嵌め込み、送信機１を取付部７にスライドさせることにより行われる。スライドをさせると、取付部７の係合部７ａの先端の突起７ｃが送信機１の受部１ａの凹部１ｃに落ち、これにより抜け止めがされる。
【００１９】
送信機１には、図１０に示すように、入力部１１、基本周期情報生成部１２及び送信部１４を例えば含む。入力部１１は、入力された音を電気信号に変換する。変換された電気信号である音信号は、基本周期情報生成部１２に送られる。入力部１１は、例えばピエゾ等のピックアップ、又は、マイクロフォンである。基本周期情報生成部１２は、入力された音信号を用いて、入力された音の基本周期に関する情報である基本周期情報を生成する。生成された基本周期情報は、送信部１４により、調律器の受信機２に無線送信される。受信機２は、受信した基本周波数情報に基づいて入力された音の基本周波数を表示する。
【００２０】
このように、送信機１が生成した基本周期情報を受信機２に無線送信することにより、ケーブルが不要となり、楽器用ストラップの配置の自由度が増す。音信号を送らずに、基本周期情報を無線送信することにより、無線送信するデータの量を減らすことができる。また、送信機１から基本周期情報を送ることで、送信機１の消費電力の増加を抑えると共に機能や部品の増加を押さえることが可能となる。もちろん、送信機１が基本周期情報ではなく入力された音信号自体を無線送信して、受信機２が受信した音信号に基づいて基本周期を表示してもよい。
【００２１】
この発明は、上述の実施形態に限定されるものではなく、本発明の趣旨を逸脱しない範囲で適宜変更が可能である。
【符号の説明】
【００２２】
１  送信機
３  帯体
４  留具
５  連結部
７  取付部
【図１】
0005555968.tif 000002
【図２】
0005555968.tif 000003
【図３】
0005555968.tif 000004
【図４】
0005555968.tif 000005
【図５】
0005555968.tif 000006
【図６】
0005555968.tif 000007
【図７】
0005555968.tif 000008
【図８】
0005555968.tif 000009
【図９】
0005555968.tif 000010
【図１０】
0005555968.tif 000011